(57)【要約】【課題】緊張ジャッキチェアを使い、そして緊張用ジャッキによって引張り材に付与した引張り荷重で引張り材をアンカーヘッドに定着する。【解決手段】ジャッキチェア９の脚２０の内側に追加のジャッキ２１が配設されている。追加のジャッキ２１はセンターホールタイプである。アンカーヘッド４が浮き上がるのを防止するための浮き上がり防止治具８は、その引張り材３が通過する開口２６の直径が定着楔５と干渉しない程度に大径である。緊張用ジャッキ１０によって引張り材３に所定の引張り荷重を付与した段階で、追加のジャッキ２１の伸長動作が開始され、定着楔５がアンカーヘッド４のテーパ孔の中に強制的に押し込まれる。【選択図】図１
2009007767.tif 000002
【特許請求の範囲】
【請求項１】
地盤に定着した引張り材を緊張用ジャッキを使って緊張させ、アンカーヘッドのテーパ孔に挿入された定着楔が前記テーパ孔の中に進入することにより、前記引張り材を前記アンカーヘッドに定着させるグラウンドアンカーの施工方法において、
前記緊張用ジャッキを前記アンカーヘッドの上方に設置するためのジャッキチェアの脚で囲まれた空間に追加のジャッキを備えたジャッキチェアを用意し、
前記緊張用ジャッキを使って前記引張り材に所定の引張り荷重を付与した後に、前記追加のジャッキを動作させて前記定着楔を前記テーパ孔の中に押し込むことを特徴とするグラウンドアンカーの施工方法。
【請求項２】
引張り材が挿通されるテーパ孔を備えたアンカーヘッドと、前記テーパ孔に挿入した定着楔と、前記アンカーヘッドの浮き上がりを防止するアンカーヘッド浮き上がり防止治具と、緊張用ジャッキを設置したジャッキチェアの脚の内側に配設された追加のジャッキとを用意し、
前記追加のジャッキは前記引張り材が挿通可能なセンターホールジャッキであり、
地盤に定着した引張り材に緊張力を付与するために前記引張り材を挿通した前記アンカーヘッドの上方に前記緊張用ジャッキを設置したときに、前記追加のジャッキの押圧部が前記アンカーヘッド浮き上がり防止治具の前記引張り材が挿通される開口の高さ方向中間部分に位置し、
前記緊張用ジャッキを使って前記引張り材に所定の引張り荷重を付与した状態で、前記追加のジャッキを動作させて前記定着楔を前記テーパ孔の中に押し込むことを特徴とするグラウンドアンカーの施工方法。
【請求項３】
前記アンカーヘッド浮き上がり防止治具の前記開口の直径が、前記定着楔の外形直径よりも大きい、請求項２に記載のグラウンドアンカーの施工方法。
【請求項４】
引張り材が挿通されるテーパ孔を備えたアンカーヘッドと、前記テーパ孔に挿入した定着楔と、前記アンカーヘッドの浮き上がりを防止するアンカーヘッド浮き上がり防止治具と、緊張用ジャッキを搭載したジャッキチェアの脚の内側に配設された追加のジャッキと、該追加のジャッキと前記定着楔との間に介装される中間押圧プレートとを用意し、
前記緊張用ジャッキを使って前記引張り材に所定の引張り荷重を付与した状態で、前記追加のジャッキを動作させて前記中間押圧プレートを介して前記定着楔を前記テーパ孔の中に押し込むことを特徴とするグラウンドアンカーの施工方法。
【請求項５】
前記ジャッキチェアの脚に、該脚で囲まれた空間を外部から目で確認できる窓が形成されている、請求項１〜４のいずれか一項に記載のグラウンドアンカーの施工方法。
【請求項６】
ジャッキチェアに搭載した緊張用ジャッキを使って、地盤に定着した引張り材を緊張させ、アンカーヘッドのテーパ孔に挿入された定着楔が前記テーパ孔の中に進入することにより、前記引張り材を前記アンカーヘッドに定着させるグラウンドアンカーの施工に用いられるジャッキチェアであって、
該ジャッキチェアの脚の内側に追加のジャッキを備え、
前記緊張用ジャッキで前記引張り材に所定の引張り荷重を付与した状態で、前記追加のジャッキによって前記定着楔を前記テーパ孔の中に押し込むことを特徴とするジャッキチェア。
【請求項７】
前記追加のジャッキが複数設けられている、請求項６に記載のジャッキチェア。
【請求項８】
前記緊張用ジャッキを前記アンカーヘッドの上方に設置するためのジャッキチェアの脚で囲まれた空間に追加のジャッキを備えたジャッキチェアを用意し、
地盤に定着した引張り材に前記緊張用ジャッキを使って所定の引張り荷重を付与した状態で、前記追加のジャッキを動作させて前記定着楔を前記テーパ孔の中に押し込んで前記引張り材を前記アンカーヘッドに定着させるグラウンドアンカーの施工方法に用いられるアンカーヘッド浮き上がり防止治具であって、
前記アンカーヘッドの上端外周縁部を係止する段部と、
前記引張り材が挿通される開口を有し、
該開口の直径が、前記追加のジャッキの押圧部の直径よりも大きいことを特徴とするアンカーヘッド浮き上がり防止治具。
【請求項９】
前記アンカーヘッド浮き上がり防止治具の開口の直径が、前記アンカーヘッドのテーパ孔に挿入された定着楔の外形直径よりも大きい、請求項８に記載のアンカーヘッド浮き上がり防止治具。
【請求項１０】
前記緊張用ジャッキを前記アンカーヘッドの上方に設置するためのジャッキチェアの脚で囲まれた空間に追加のジャッキを備えたジャッキチェアを用意し、
該ジャッキチェアの脚に段部が形成され、
地盤に定着した引張り材に前記緊張用ジャッキを使って所定の引張り荷重を付与した状態で、前記追加のジャッキを動作させて前記定着楔を前記テーパ孔の中に押し込んで前記引張り材を前記アンカーヘッドに定着させるグラウンドアンカーの施工方法に用いられるアンカーヘッド浮き上がり防止治具であって、
前記アンカーヘッドの上端外周縁部を係止する段部と、
前記引張り材が挿通される開口とを有し、
前記ジャッキチェアの脚の段部に係合されて、前記緊張用ジャッキを使って前記引張り材に引張り荷重を付与しているときに前記ジャッキチェアの段部に係止されて、その浮き上がりが防止されることを特徴とするアンカーヘッド浮き上がり防止治具。
【請求項１１】
引張り材が挿通されるテーパ孔を備えたアンカーヘッドと、前記テーパ孔に挿入した定着楔と、前記アンカーヘッドの浮き上がりを防止するアンカーヘッド浮き上がり防止治具と、緊張用ジャッキを搭載したジャッキチェアの脚の内側に配設された追加のジャッキと、該追加のジャッキと前記定着楔との間に介装される中間押圧プレートとを用意し、
前記緊張用ジャッキを使って前記引張り材に所定の引張り荷重を付与した状態で、前記追加のジャッキを動作させて前記中間押圧プレートを介して前記定着楔を前記テーパ孔の中に押し込んで前記引張り材を前記アンカーヘッドに定着するグラウンドアンカーの施工方法に用いられる前記中間押圧プレートであって、
前記中間押圧プレートが、前記アンカーヘッド浮き上がり防止治具に形成され且つ前記引張り材が挿通される開口に挿入可能な突部と、該突部に形成され且つ前記引張り材が挿通される貫通穴を備えていることを特徴とする中間押圧プレート。
【発明の詳細な説明】
【技術分野】
【０００１】
本発明は、基盤内に定着した引張り材の外端部をアンカーヘッドと定着楔を使って固定するグラウンドアンカーの施工方法及びこれに用いられるジャッキチェア、アンカーヘッド浮き上がり防止治具並びに中間押圧プレートに関する。
【背景技術】
【０００２】
基盤内に定着させたＰＣ鋼より線などの引張り材を使ってコンクリート構造物を地盤に強く押し当てた状態で固定するグラウンドアンカーは、地滑り防止、擁壁の安定、山留め、道路などの法面保護などに広く採用されている（特許文献１、２）。
【０００３】
図７は、従来のグラウンドアンカーの施工方法において、引張り材の外端部をアンカーヘッドと定着楔とを使ってフリーセッティング法に従って固定する方法を説明するための図である。この図７において、参照符号１は地盤であり、地盤１に、ボーリングマシンを使って削孔２を形成し、この削孔２に挿入した引張り材３をグラウト材を使って地盤１に定着した後に、アンカーヘッド４のテーパ孔に挿入した定着楔５を使って当該引張り材３の外端部がアンカーヘッド４に定着される。図中、参照符号６は支圧板（アンカープレート）を示し、７は地盤１の表面に構築されたコンクリート構造物を示す。
【０００４】
定着楔５を使って引張り材３の外端部をアンカーヘッド４に定着するのに、特許文献３に見られるような緊張用ジャッキが用いられる。図７を参照して具体的に説明すると、アンカーヘッド４のテーパ孔に定着楔５を挿入し、次いで、アンカーヘッド浮き上がり防止治具８でアンカーヘッド４を覆った後に、ジャッキチェア９に搭載された緊張用ジャッキ１０を使って引張り材３に緊張力を付与する。アンカーヘッド浮き上がり防止治具８には、定着楔５と対面する部位に段部１１が設けられ、この段部１１によって引張り材３に緊張力を付与する過程で定着楔５が若干浮き上がるのを許容するクリアランスＣが形成されている。
【０００５】
緊張用ジャッキ１０によって所定の荷重まで引張り材３に緊張力を付与した後に、緊張用ジャッキ１０による引張り材３の引張り荷重を下げることで、引張り材３の外端部が地盤１の削孔２の中に戻ろうとする傾向になる。この引張り材３の戻り動作と一緒に定着楔５がアンカーヘッド４のテーパ孔の中に進入して、つまり定着楔５が引張り材３によって友引きされて、この定着楔５によって引張り材３がアンカーヘッド４に定着される。
【０００６】
定着楔５によって引張り材３がアンカーヘッド４に定着されると、ジャッキチェア９やアンカーヘッド浮き上がり防止治具８が撤去され、その後に、引張り材３の外端部の一部をストランドカッタで切断した後に、防錆油の充填、保護キャップの装着が行われる(特許文献１、２参照)。
【特許文献１】特開２００７−２３６４６号公報
【特許文献２】特開２００３−２７８１５４号公報
【特許文献３】特開２００４−２７０４１３号公報
【発明の開示】
【発明が解決しようとする課題】
【０００７】
フリーセッティング法による引張り材３の定着では、緊張用ジャッキ１０の引張り荷重をリリースして引張り材３が削孔２の中へ戻ろうとする動作に随伴して定着楔５がテーパ孔の中に進入する動作に依存している。換言すれば、引張り材３と定着楔５との間で滑りが発生すると、アンカーヘッド４によって引張り材３が定着されたときに、セットロス、つまり引張り材３の緊張力が低下してしまうという問題が発生する。この問題は、経験的に、引張り材３に付与する緊張用ジャッキ１０の設定引張り荷重が小さいときに発生し易い。
【０００８】
また、引張り材３の中には、鋼材の外周を防錆被覆で覆った材料が出現しているが、このような鋼材の周りをコーティングした引張り材においても、上述した問題が発生し易い。
【０００９】
そこで、本発明の目的は、緊張用ジャッキを搭載したジャッキチェアを使って、引張り材の材料の差異や緊張用ジャッキの設定引張り荷重の大小に影響を受けることなく、セットロス無しに緊張用ジャッキによって引張り材に付与した引張り荷重で引張り材をアンカーヘッドに定着することのできるグラウンドアンカーの施工方法及びこれに用いられるジャッキチェア、アンカーヘッド浮き上がり防止治具並びに中間押圧プレートを提供することにある。
【課題を解決するための手段】
【００１０】
上記の技術的課題は、本発明の第１の観点によれば、
地盤に定着した引張り材を緊張用ジャッキを使って緊張させ、アンカーヘッドのテーパ孔に挿入された定着楔が前記テーパ孔の中に進入することにより、前記引張り材を前記アンカーヘッドに定着させるグラウンドアンカーの施工方法において、
前記緊張用ジャッキを前記アンカーヘッドの上方に設置するためのジャッキチェアの脚で囲まれた空間に追加のジャッキを備えたジャッキチェアを用意し、
前記緊張用ジャッキを使って前記引張り材に所定の引張り荷重を付与した後に、前記追加のジャッキを動作させて前記定着楔を前記テーパ孔の中に押し込むことを特徴とするグラウンドアンカーの施工方法を提供することにより達成される。
【００１１】
また、上記の技術的課題は、本発明の第２の観点によれば、
引張り材が挿通されるテーパ孔を備えたアンカーヘッドと、前記テーパ孔に挿入した定着楔と、前記アンカーヘッドの浮き上がりを防止するアンカーヘッド浮き上がり防止治具と、緊張用ジャッキを設置したジャッキチェアの脚の内側に配設された追加のジャッキとを用意し、
前記追加のジャッキは前記引張り材が挿通可能なセンターホールジャッキであり、
地盤に定着した引張り材に緊張力を付与するために前記引張り材を挿通した前記アンカーヘッドの上方に前記緊張用ジャッキを設置したときに、前記追加のジャッキの押圧部が前記アンカーヘッド浮き上がり防止治具の前記引張り材が挿通される開口の高さ方向中間部分に位置し、
前記緊張用ジャッキを使って前記引張り材に所定の引張り荷重を付与した状態で、前記追加のジャッキを動作させて前記定着楔を前記テーパ孔の中に押し込むことを特徴とするグラウンドアンカーの施工方法を提供することにより達成される。
【００１２】
また、上記の技術的課題は、本発明の第３の観点によれば、
引張り材が挿通されるテーパ孔を備えたアンカーヘッドと、前記テーパ孔に挿入した定着楔と、前記アンカーヘッドの浮き上がりを防止するアンカーヘッド浮き上がり防止治具と、緊張用ジャッキを搭載したジャッキチェアの脚の内側に配設された追加のジャッキと、該追加のジャッキと前記定着楔との間に介装される中間押圧プレートとを用意し、
前記緊張用ジャッキを使って前記引張り材に所定の引張り荷重を付与した状態で、前記追加のジャッキを動作させて前記中間押圧プレートを介して前記定着楔を前記テーパ孔の中に押し込むことを特徴とするグラウンドアンカーの施工方法を提供することにより達成される。
【００１３】
また、上記の技術的課題は、本発明の他の観点によれば、
ジャッキチェアに搭載した緊張用ジャッキを使って、地盤に定着した引張り材を緊張させ、アンカーヘッドのテーパ孔に挿入された定着楔が前記テーパ孔の中に進入することにより、前記引張り材を前記アンカーヘッドに定着させるグラウンドアンカーの施工に用いられるジャッキチェアであって、
該ジャッキチェアの脚の内側に追加のジャッキを備え、
前記緊張用ジャッキで前記引張り材に所定の引張り荷重を付与した状態で、前記追加のジャッキによって前記定着楔を前記テーパ孔の中に押し込むことを特徴とするジャッキチェアを提供することにより達成される。
【００１４】
また、上記の技術的課題は、本発明の別の観点によれば、
前記緊張用ジャッキを前記アンカーヘッドの上方に設置するためのジャッキチェアの脚で囲まれた空間に追加のジャッキを備えたジャッキチェアを用意し、
地盤に定着した引張り材に前記緊張用ジャッキを使って所定の引張り荷重を付与した状態で、前記追加のジャッキを動作させて前記定着楔を前記テーパ孔の中に押し込んで前記引張り材を前記アンカーヘッドに定着させるグラウンドアンカーの施工方法に用いられるアンカーヘッド浮き上がり防止治具であって、
前記アンカーヘッドの上端外周縁部を係止する段部と、
前記引張り材が挿通される開口を有し、
該開口の直径が、前記追加のジャッキの押圧部の直径よりも大きいことを特徴とするアンカーヘッド浮き上がり防止治具を提供することにより達成される。
【００１５】
また、上記の技術的課題は、本発明の他の観点によれば、
前記緊張用ジャッキを前記アンカーヘッドの上方に設置するためのジャッキチェアの脚で囲まれた空間に追加のジャッキを備えたジャッキチェアを用意し、
該ジャッキチェアの脚に段部が形成され、
地盤に定着した引張り材に前記緊張用ジャッキを使って所定の引張り荷重を付与した状態で、前記追加のジャッキを動作させて前記定着楔を前記テーパ孔の中に押し込んで前記引張り材を前記アンカーヘッドに定着させるグラウンドアンカーの施工方法に用いられるアンカーヘッド浮き上がり防止治具であって、
前記アンカーヘッドの上端外周縁部を係止する段部と、
前記引張り材が挿通される開口とを有し、
前記ジャッキチェアの脚の段部に係合されて、前記緊張用ジャッキを使って前記引張り材に引張り荷重を付与しているときに前記ジャッキチェアの段部に係止されて、その浮き上がりが防止されることを特徴とするアンカーヘッド浮き上がり防止治具を提供することにより達成される。
【００１６】
また、上記の技術的課題は、本発明の更に別の観点によれば、
引張り材が挿通されるテーパ孔を備えたアンカーヘッドと、前記テーパ孔に挿入した定着楔と、前記アンカーヘッドの浮き上がりを防止するアンカーヘッド浮き上がり防止治具と、緊張用ジャッキを搭載したジャッキチェアの脚の内側に配設された追加のジャッキと、該追加のジャッキと前記定着楔との間に介装される中間押圧プレートとを用意し、
前記緊張用ジャッキを使って前記引張り材に所定の引張り荷重を付与した状態で、前記追加のジャッキを動作させて前記中間押圧プレートを介して前記定着楔を前記テーパ孔の中に押し込んで前記引張り材を前記アンカーヘッドに定着するグラウンドアンカーの施工方法に用いられる前記中間押圧プレートであって、
前記中間押圧プレートが、前記アンカーヘッド浮き上がり防止治具に形成され且つ前記引張り材が挿通される開口に挿入可能な突部と、該突部に形成され且つ前記引張り材が挿通される貫通穴を備えていることを特徴とする中間押圧プレートを提供することにより達成される。
【００１７】
すなわち、本発明によれば、地盤に定着された引張り材に緊張力を与える緊張用ジャッキを設置するためにジャッキチェアを設置し、そして、緊張用ジャッキを使って引張り材に所定の引張り荷重を付与し、そして、この状態で、ジャッキチェアに設置された追加のジャッキを動作させて定着楔をテーパ孔の中に強制的に押し込むようにしてあるため、所定の引張り荷重の状態で引張り材をアンカーヘッドに定着することができる。したがって、緊張用ジャッキによる引張り荷重の設定値が小さくても、あるいはコーティングされた引張り材であったとしても、設定された緊張力で引張り材を定着することができる。
【発明を実施するための最良の形態】
【００１８】
以下に、添付の図面に基づいて本発明の好ましい実施例を説明する。以下の実施例の説明において、上述した従来技術（図７）の説明で使用した要素と実質的に同じ要素には、同じ参照符号を付すことにより、その説明を省略する。
【００１９】
第１実施例（図１）：
図１は第１実施例を示す。図１を参照して、緊張用ジャッキ１０を搭載したジャッキチェア９には、その脚２０の内側に追加のジャッキ２１が固設されている。すなわち、ジャッキチェア９は、緊張用ジャッキ１０を載置する座部２２と、座部２２から下方に向けて延びる脚２０とを有し、座部２２と脚２０とで囲まれた空間２３に追加のジャッキ２１が配設されている。具体的には、追加のジャッキ２１は、ジャッキ本体２１ａと、該ジャッキ本体２１ａから下方に向けて押圧部２１ｂとを有し、油圧により、押圧部２１ｂはジャッキ本体２１ａの軸線に沿って進退動作が可能である。ジャッキチェア９は、その脚２０をアンカーヘッド浮き上がり防止治具８の外周段部８ａに設置することにより位置決めされる。
【００２０】
追加のジャッキ２１はセンターホールタイプであり、ジャッキ本体２１ａと押圧部２１ｂは、その軸線に一致し且つ引張り材３が挿通可能な貫通孔２４を有する。ジャッキチェア９に対する追加のジャッキ２１の取付けは、ジャッキチェア９の座部２２の下面にジャッキ本体２１ａの基端を当接させ、ジャッキ本体２１ａの側部が脚２０に任意の締結手段２５によって固定されている。
【００２１】
緊張用ジャッキ１０を使って引張り材３に緊張力を付与している過程でアンカーヘッド４が浮き上がるのを防止するための浮き上がり防止治具８は、前述した従来の浮き上がり防止治具と基本構造は同じであり、定着楔５と対面する部位に段部１１が設けられているものの、引張り材３が通過する開口２６は、定着楔５と干渉しない程度に大径である。すなわち、浮き上がり防止治具８は、アンカーヘッド４の上端外周縁部と係合する第２段部２８を有しているが、引張り材３が挿通される開口２６の直径が、定着楔５の外形直径により大きい大径に作られており、これにより浮き上がり防止治具８は定着楔５と干渉しない。
【００２２】
図１は、追加のジャッキ２１を備えたジャッキチェア９をセットした初期状態を示す。この図１から理解できるように、追加のジャッキ２１の押圧部２１ｂの先端部分が、浮き上がり防止治具８の開口２６の中に侵入しており、この開口２６の高さ方向中間部分に位置している。
【００２３】
ジャッキチェア９の緊張用ジャッキ１０を使って引張り材３に所定の引張り荷重を付与する過程で、引張り材３の外端部の伸び動作に随伴して発生する定着楔５の浮き上がりは、浮き上がり防止治具８の開口２６に侵入して位置している追加のジャッキ２１の押圧部２１ｂによって所定のストロークに規制される。
【００２４】
緊張用ジャッキ１０によって引張り材３に所定の引張り荷重を付与した段階で、追加のジャッキ２１の動作が開始される。追加のジャッキ２１の動作開始により押圧部２１ｂは削孔２に向けて伸長し、これにより定着楔５がアンカーヘッド４のテーパ孔の中に強制的に押し込まれる。この追加のジャッキ２１による定着楔５の強制的な押し込みにより、引張り材３がアンカーヘッド４のテーパ孔に固定される。
【００２５】
次いで、緊張用ジャッキ１０の短縮動作によって引張り荷重がリリースされる。緊張用ジャッキ１０の短縮動作と同期して又はその後に追加のジャッキ２１の押圧部２１ｂは短縮動作を開始する。そして、この一連の動作が完了すると、ジャッキチェア９が撤去される。これ以降の作業は、従来と同様であり、ストランドカッタによって引張り材３の外端部の一部が切断され、次いで、防錆油の充填や保護キャップの装着が行われる。
【００２６】
上述した第１実施例によれば、緊張用ジャッキ１０の引張り荷重をリリースする際に、追加のジャッキ２１によって定着楔５が強制的にアンカーヘッド４のテーパ孔の中に押し込まれ、これにより引張り材３がアンカーヘッド４に固定されるために、引張り材３の材質（例えば防錆コーティング）によって左右されることなく、引張り材３を地盤１に対して所定の引張り荷重で定着することができる。
【００２７】
また、追加のジャッキ２１の設置に関して、当該追加のジャッキ２１をジャッキチェア９の内部に設置してあるため、従来と同様に緊張用ジャッキ１０を設置するためにジャッキチェア９を所定位置に設置するだけで追加のジャッキ２１を所定位置に設置することができる。すなわち、従来と同じ手順でジャッキチェア９を設置するだけで追加のジャッキ２１を所定位置に位置決めすることができる。
【００２８】
図１に示す参照符号２７は、ジャッキチェア９の脚２０に形成された窓を示す。この窓２７を通じて、追加のジャッキ２１の押圧部２１ｂが所定位置に位置決めされているか等を目で確認することができる。
【００２９】
第２実施例（図２）：
この第２実施例は、上述した第１実施例の変形例でもある。前述した第１実施例では、アンカーヘッド浮き上がり防止治具８に関し、その引張り材３が挿通される開口２６の直径を定着楔５と干渉しないように拡大し、その代わりに、追加のジャッキ２１の押圧部２１ｂの初期設定位置を開口２６の高さ方向中間部分に設定するようにしたが、この第２実施例（図２）では、中心開口２６の直径を定着楔５と干渉するように設定し、そして、従来と同様にクリアランスＣを設けるようにしてある。
【００３０】
この第２実施例によれば、ジャッキチェア９の緊張用ジャッキ１０を使って引張り材３に所定の引張り荷重を付与する過程で、引張り材３の外端部の伸び動作に随伴して発生する定着楔５の浮き上がりは、従来と同様にクリアランスＣを備えた浮き上がり防止治具８によって規制される。したがって、追加のジャッキ２１の押圧部２１ｂの初期設定位置は、アンカーヘッド浮き上がり防止治具８の開口２６の高さ方向中間部分であってもよいが、アンカーヘッド浮き上がり防止治具８の開口２６の上方領域であってもよい（図２参照）。
【００３１】
この第２実施例においても、緊張用ジャッキ１０によって引張り材３に所定の引張り荷重を付与した段階で、追加のジャッキ２１の伸長動作が開始されて押圧部２１ｂが直接的に定着楔５を押し下げ、これにより定着楔５がアンカーヘッド４のテーパ孔の中に強制的に押し込まれる。これにより、引張り材３は緊張用ジャッキ１０から付与された所定の引張り荷重の状態でアンカーヘッド４に定着される。
【００３２】
第３実施例（図３）：
第３実施例は、アンカーヘッド浮き上がり防止治具８及び／又はジャッキチェア９の変形例でもある。この第３実施例で開示するアンカーヘッド浮き上がり防止治具８にあっては、アンカーヘッド４の上端外周縁部を係止する第２段部２８を備えたリング状の部材からなり、支圧板６に着座しない高さ寸法を有している。この浮き上がり防止治具８は、ジャッキチェア９の脚２０と係合することにより固定される。具体的には、ジャッキチェア９の脚２０には第１の段部２０ａを有し、この第１段部２０ａによって浮き上がり防止治具８の上部肩部が係止される。
【００３３】
ジャッキチェア９には、またその脚２０に第２段部２０ｂが形成されており、この第２段部２０ｂは、追加のジャッキ２１の本体２１ａの下端周縁部が係止される。
【００３４】
第１、第２実施例と同様に、緊張用ジャッキ１０によって引張り材３に緊張力を付与している過程におけるアンカーヘッド４の浮き上がりは浮き上がり防止治具８によって行われるが、この第３実施例によれば、浮き上がり防止治具８はジャッキチェア９の脚２０によって固定される。
【００３５】
また、脚２０に第２段部２０ｂを形成して追加のジャッキ２１の下端周縁部を支持するようにしてあるため、追加のジャッキ２１は脚２０の第２段部２０ｂによって下方から支持されるため、ジャッキチェア９の脚２０で囲まれた空間２３に設置した追加のジャッキ２１を安定的に支持することができる。
【００３６】
第４実施例（図４〜図６）：
先ず図４を参照して第４実施例を説明すると、この第４実施例では、定着楔５を追加のジャッキ２１で間接的に押し下げるようにしたことを特徴とする。すなわち、第４実施例では、定着楔５を直接的に押し下げる中間押圧プレート３０を有し、この中間押圧プレート３０は、その中心部分に下方に延びる突部３１を有する。突部３１は、浮き上がり防止治具８の中心部分の開口２６の直径よりも小さな直径を有し、後に説明するように追加のジャッキ２１が伸長動作することにより、各突部３１が、対応する定着楔５を押し下げることのできる高さ寸法を有している。中間押圧プレート３０は、また、その上部３２がジャッキチェア９の脚２０の近傍まで延びる直径を有している。
【００３７】
ジャッキチェア９の脚２０で囲まれた空間２３には、脚２０に隣接して周方向に複数の追加のジャッキ２１、２１が配設され、各追加のジャッキ２１は、脚２０にベルト３３を介して脱着可能に設置されている。
【００３８】
この第４実施例にあっても、緊張用ジャッキ１０によって引張り材３に所定の引張り荷重を付与した段階で、追加のジャッキ２１の伸長動作が開始され、定着楔５は、中間押圧プレート３０を介してアンカーヘッド４のテーパ孔の中に強制的に押し込まれる。この追加のジャッキ２１による定着楔５の強制的な押し込みにより、引張り材３がアンカーヘッド４のテーパ孔に定着される。
【００３９】
この第４実施例にあっては、複数本のＰＣ鋼より線からなるマルチ引張り材３に効果的に適用することができる。図５は４本のＰＣ鋼より線に適用される中間押圧プレート３０を示し、図６は、図５のVI−VI線に沿った断面図である。
【００４０】
図５、図６を参照して、中間押圧プレート３０には、マルチ引張り材３の各引張り材が挿通される合計４つの上下に延びる貫通穴３４が形成され、この貫通穴３４に対応して４つの突部３１を有している。
【図面の簡単な説明】
【００４１】
【図１】第１実施例を説明するための図である。
【図２】第２実施例を説明するための図である。
【図３】第３実施例を説明するための図である。
【図４】第４実施例を説明するための図である。
【図５】第４実施例で用いられる中間押圧プレートの平面図である。
【図６】図５のVI−VI線に沿った断面図である。
【図７】従来のグラウンドアンカーの施工方法を説明するための図である。
【符号の説明】
【００４２】
１    地盤
２    削孔
３    引張り材
４    アンカーヘッド
５    定着楔
６    支圧板
８    アンカーヘッド浮き上がり防止治具
９    ジャッキチェア
１０    緊張用ジャッキ
１１  浮き上がり防止治具の段部
２０  ジャッキチェアの脚
２１  追加のジャッキ
２３  ジャッキチェア脚で囲まれた空間
２６  浮き上がり防止治具の開口
２７  ジャッキチェアの脚の窓
３０  中間押圧プレート
３１  中間押圧プレートの突部
３２  中間押圧プレートの上部
３４  中間押圧プレートの貫通穴（引張り材が挿通）
【図１】
2009007767.tif 000003
【図２】
2009007767.tif 000004
【図３】
2009007767.tif 000005
【図４】
2009007767.tif 000006
【図５】
2009007767.tif 000007
【図６】
2009007767.tif 000008
【図７】
2009007767.tif 000009